(57)【特許請求の範囲】
【請求項１】
天井に設けたレールに移動可能に吊支された複数の間仕切りパネルを、レールに沿って順次移動させ、室内を仕切るようにした移動間仕切り装置におけるドア付間仕切りパネルであって、
正面視下向きコ字状のドア枠と、このドア枠における一方の側枠杆の内側面にヒンジをもって枢着されたドアとを備え、前記ドアの下端部に、ドアのヒンジ側端面より突出する作動杆が、ドアの内方に向かって押動されることにより、ドアの下端より下降して床面に圧接し、ドアの下端と床面との間の隙間を閉塞するようにしたドア側下部閉塞部材を設け、前記側枠杆の内側面における前記作動杆の先端に対向する部分に、前記作動杆の先端部が嵌合しうる嵌合孔を設けるとともに、この嵌合孔を開閉する遮蔽部材を設け、前記嵌合孔が遮蔽部材により閉塞されているときだけ、ドアの閉止時に、作動杆の先端が遮蔽部材に当接して、ドアの内方に向かって押動されるようにし、さらにドアを閉めたときに閉塞される前記側枠杆の内側面に、前記遮蔽部材を開閉操作する操作部材を設けたことを特徴とする移動間仕切り装置におけるドア付間仕切りパネル。
【請求項２】
操作部材と遮蔽部材とを、側枠杆内部に配設した上下方向を向くガイド筒に沿って上下動する連結杆をもって連結し、それらが予め定めた上昇位置まで上昇することにより、嵌合孔を開き、かつ予め定めた下降位置まで下降することにより、嵌合孔を閉じるようにした請求項１記載の移動間仕切り装置におけるドア付間仕切りパネル。
【請求項３】
側枠杆に、操作部材を上昇位置および下降位置において保持する保持手段を設けた請求項２記載の移動間仕切り装置におけるドア付間仕切りパネル。
【請求項４】
保持手段を、ガイド筒と連結杆との対向部のいずれか一方に設けられ、かつ操作部材が上昇位置および下降位置に位置しているときに、前記対向部の他方のものに設けた位置決め孔に弾性係合して、連結杆を弾圧保持する弾圧保持手段とした請求項３記載の移動間仕切り装置におけるドア付間仕切りパネル。
【請求項５】
側枠杆の下端部に、操作部材による遮蔽部材の開閉操作に連動して上下動し、下降して床面に圧接することにより、側枠杆の下端と床面との間の隙間を閉塞するようにした下部閉塞部材を設けた請求項１〜４のいずれかに記載の移動間仕切り装置におけるドア付間仕切りパネル。
【請求項６】
操作部材を、側枠杆の内側面に設けた縦長の凹部内に上下動可能として設けた請求項１〜５のいずれかに記載の移動間仕切り装置におけるドア付間仕切りパネル。
【発明の詳細な説明】
【技術分野】
【０００１】
本発明は、室内を仕切る移動間仕切り装置におけるドア付間仕切りパネルに関する。
【背景技術】
【０００２】
移動間仕切り装置においては、単に各間仕切りパネルを横一列に並べただけでは、室内は完全には仕切られず、各間仕切りパネルの移動に要する床面との隙間が開いたままとなって、密閉性を確保することができない。
【０００３】
そこで従来では、間仕切りパネルの下端部に、上記隙間を閉塞しうる下部閉塞部材を上下動可能として設け、各間仕切りパネルの全閉時に、外部からの回転操作や、隣合う間仕切りパネル同士が互いにつき当てられることにより、下部閉塞部材が下降させられて、間仕切りパネルの下端と床面との隙間を閉塞するようにしたものが知られている(例えば特許文献１〜３参照)。
【特許文献１】実公昭５９−３２７０９号公報
【特許文献２】特開平６−１９３３５６号公報
【特許文献３】実公昭５４−２８３８２号公報
【発明の開示】
【発明が解決しようとする課題】
【０００４】
ところで、移動式間仕切りパネルには、正面視下向きコ字状のドア枠と、このドア枠に開閉自在に取付けられたドアとを備えるものがある。
特許文献３は、このようなドア付間仕切りパネルにおけるドア枠の下端にも、下部閉塞部材を設けることを可能にしたものであるが、この下部閉塞部材は、ドアの下端と床面との間の隙間まで閉塞しうるものではない。
【０００５】
ドアの下端に、このような下部閉塞部材を設けると、ドアの開閉時に、下部閉塞部材が床面に擦れて、ドアの開閉の妨げとなるので、ドアの下端には、このような下部閉塞部材が設けられていないのが実情である。
【０００６】
本発明は、従来の技術が有する上記のような問題点に鑑み、ドアの下端と床面との間の隙間を閉塞することができるとともに、ドアの開閉の妨げとなることがなく、しかもパネル全体を移動する際には、ドアを閉じた状態で、ドアの下端と床面との間に隙間を形成することもできるようにした、構造が簡単で、美観を損なわず、しかも防盗性をも確保できるようにした移動間仕切り装置におけるドア付間仕切りパネルを提供することを目的としている。
【課題を解決するための手段】
【０００７】
本発明によると、上記課題は次のようにして解決される。
(１)天井に設けたレールに移動可能に吊支された複数の間仕切りパネルを、レールに沿って順次移動させ、室内を仕切るようにした移動間仕切り装置におけるドア付間仕切りパネルであって、
正面視下向きコ字状のドア枠と、このドア枠における一方の側枠杆の内側面にヒンジをもって枢着されたドアとを備え、前記ドアの下端部に、ドアのヒンジ側端面より突出する作動杆が、ドアの内方に向かって押動されることにより、ドアの下端より下降して床面に圧接し、ドアの下端と床面との間の隙間を閉塞するようにしたドア側下部閉塞部材を設け、前記側枠杆の内側面における前記作動杆の先端に対向する部分に、前記作動杆の先端部が嵌合しうる嵌合孔を設けるとともに、この嵌合孔を開閉する遮蔽部材を設け、前記嵌合孔が遮蔽部材により閉塞されているときだけ、ドアの閉止時に、作動杆の先端が遮蔽部材に当接して、ドアの内方に向かって押動されるようにする。
【０００８】
(２)上記(１)項において、ドアを閉めたときに閉塞される側枠杆の内側面に、遮蔽部材を開閉操作する操作部材を設ける。
【０００９】
(３)上記(２)項において、操作部材と遮蔽部材とを、側枠杆内部に配設した上下方向を向くガイド筒に沿って上下動する連結杆をもって連結し、それらが予め定めた上昇位置まで上昇することにより、嵌合孔を開き、かつ予め定めた下降位置まで下降することにより、嵌合孔を閉じるようにする。
【００１０】
(４)上記(３)項において、側枠杆に、操作部材を上昇位置および下降位置において保持する保持手段を設ける。
【００１１】
(５)上記(４)項において、保持手段を、ガイド筒と連結杆との対向部のいずれか一方に設けられ、かつ操作部材が上昇位置および下降位置に位置しているときに、前記対向部の他方のものに設けた位置決め孔に弾性係合して、連結杆を弾圧保持する弾圧保持手段とする。
【００１２】
(６)上記(２)〜(５)項のいずれかにおいて、側枠杆の下端部に、操作部材による遮蔽部材の開閉操作に連動して上下動し、下降して床面に圧接することにより、側枠杆の下端と床面との間の隙間を閉塞するようにした下部閉塞部材を設ける。
【００１３】
(７)上記(２)〜(６)項のいずれかにおいて、操作部材を、側枠杆の内側面に設けた縦長の凹部内に上下動可能として設ける。
【発明の効果】
【００１４】
本発明によると、次のような効果を奏することができる。
上記(１)項に記載の発明によると、嵌合孔を遮蔽部材により閉塞しているときは、ドアを閉じたとき、作動杆の先端が遮蔽部材に当接して、ドアの内方に向かって押動され、ドア側下部閉塞部材がドアの下端より下降して床面に圧接し、ドアの下端と床面との間の隙間を閉塞する。
嵌合孔が、遮蔽部材により閉塞されていないときは、ドアを閉じたとき、作動杆の先端が嵌合孔内に嵌合し、作動杆がドアの内方に向かって押動されることはないので、ドア側下部閉塞部材は、ドアの下端より下降することはなく、ドアの下端と床面との間には、隙間が形成されたままとなる。
したがって、嵌合孔を遮蔽部材により閉塞し、かつドアが閉じたときだけ、ドア側下部閉塞部材が下降して、ドアの下端と床面との間の隙間を閉塞するので、ドアの開閉の妨げとなることがなく、しかも、ドア付間仕切りパネルによって仕切られた両室間の密閉性を確保することがでる。
さらに、パネル全体を移動する際には、遮蔽部材を、嵌合孔を閉塞しない位置に移動しておけば、ドアを閉じた状態で、ドアの下端と床面との間に隙間を形成することができ、ドア側下部閉塞部材が床面に擦れて、パネル全体の移動を妨げると言ったことがなくなる。
また、構造が簡単で、外部に露呈する部材がないので、美観を損うこともない。
【００１５】
上記(２)項に記載の発明によると、ドアを閉めたときに閉塞される側枠杆の内側面に、遮蔽部材を開閉操作する操作部材を設けてあるので、ドアを閉めて施錠した状態では、操作部材を操作して、遮蔽部材移動させることができず、防盗性に優れているだけでなく、操作部材が外部に露呈しないので、美観を保つことができる。
【００１６】
上記(３)項に記載の発明によると、操作部材を上下動するだけで、遮蔽部材により、嵌合孔を開閉することができ、しかも、ガイド筒によって、連結杆の上下動を円滑に案内することができるので、操作性がよい。
【００１７】
上記(４)項に記載の発明によると、側枠杆に、操作部材を上昇位置および下降位置において保持する保持手段を設けてあるので、操作部材および遮蔽部材の不時の移動による誤動作を防止することができる。
【００１８】
上記(５)項に記載の発明によると、保持手段の構成を簡素化して、横幅が小さいドア枠の側枠杆の下端部内にコンパクトに納めることができるとともに、操作部材および遮蔽部材を、上昇位置および下降位置において確実に保持することができる。
【００１９】
上記(６)項に記載の発明によると、操作部材による遮蔽部材の開閉操作に連動して、側枠杆の下端と床面との間の隙間を閉塞する下部閉塞部材を上下動できるので、遮蔽部材と下部閉塞部材とを別々に操作する必要がなく、操作性がよい。
また、側枠杆の下端と床面との間の隙間を閉塞するようにした下部閉塞部材を設けてあるので、ドアの下端と床面との間だけでなく、ドア枠の下端と床面との隙間をも確実に閉塞することができ、完全な密閉性を確保することができる。
【００２０】
上記(７)項に記載の発明によると、操作部材を、側枠杆の内側面に設けた縦長の凹部内に上下動可能として設けてあるので、ドア開閉時に、操作部材がドアと干渉するのを防止することができる。
【発明を実施するための最良の形態】
【００２１】
図１は、本発明のドア付間仕切りパネルの一実施形態を備える移動間仕切り装置の全体構成を示す斜視図、図２は、そのドア付間仕切りパネルを示す正面図である。
図１に示すように、移動間仕切り装置１は、複数の間仕切りパネル２と、そのうちの最先端に位置するドア付間仕切りパネル３と、天井４の下面に埋設されて、各間仕切りパネル２、３を、左右１対の吊りボルト５(図２参照)をもって、移動可能に吊支するガイドレール６とを備えている。
【００２２】
上記構成において、室内全体を使用する場合には、室内における一方の壁面近傍にあって、ガイドレール６から平面視Ｌ字形に分岐された格納用レール６ａとガイドレール６との双方に、吊りボルト５が吊支され、これにより各間仕切りパネル２、３は、一方の壁面に積層状態で格納される。
【００２３】
室内を間仕切り装置１により２室に区分するには、まず、ドア付間仕切りパネル３を分岐レール６ａより引出し、ガイドレール６に沿って移動し、他方の壁面に突き当て、次いで、各間仕切りパネル２を順次一直線状に引出して、その端部同士を互いにつき当てる。すると、室内は、間仕切りパネル２、３により仕切られる。なお、図１においては、各間仕切りパネル２、３を人手により移動させる場合を示しているが、リモコン操作による電動自走方式とすることもできる。
【００２４】
各間仕切りパネル２、３を展開し、一直線状に列設しただけでは、各間仕切りパネル２、３の下端と床面７との間には、図２に示すように、隙間ｄが生じている。そこで、ドア付間仕切りパネル３を除く他の間仕切りパネル２には、それぞれ、従来と同様の下部閉塞部材２ａとその昇降手段(図示略)とが下端部に設けられ、その昇降手段における回転ハンドル(図示略)を回転させるか、または先行する間仕切りパネル２、３に付き当てられることにより、リンク機構を介して、下部閉塞部材２ａが下降させられ、それが床面７に当接することにより、隙間ｄが閉塞されるようになっている。
【００２５】
ドア付間仕切りパネル３は、正面視下向きコ字状のドア枠８と、このドア枠８における左右の側枠杆１０、１０のいずれか一方に、上下１対のヒンジ１１をもって枢着され、ドア枠８における開口８ａを開閉しうるようにしたドア９とを備えている。
ドア９におけるヒンジ１１と反対側の開閉端側には、開閉操作用のノブ１２と、施錠装置１３とが設けられている。
【００２６】
ドア枠８における左右の側枠杆１０、１０の下端と床面７との間、およびドア９の下端と床面７との間には、ドア付間仕切りパネル３の移動を容易にするための隙間ｄが形成されている。
【００２７】
ドア９の下端部には、図３〜５に示すように、他の間仕切りパネル２におけるのと同様のドア側下部閉塞部材１４とその昇降手段(図示略)とが設けられている。
この昇降手段は、ドア９におけるヒンジ１１側の側端面より進退する作動杆１５を備えており、ドア９が開いているときは、作動杆１５がドア９の側端面より突出し(図５参照)、かつドア側下部閉塞部材１４が、ばね(図示略)の付勢力により、上昇位置に保持され、ドア９が閉じると、作動杆１５が側枠杆１０に当接して、ドア９の内方に押し込まれ、リンク機構により、ドア側下部閉塞部材１４を押し下げて、隙間ｄを閉塞するようになっている(図４参照)。なお、この昇降機構は、従来の公知の移動式間仕切りパネルにおける下部閉塞部材の昇降手段と同じである。
【００２８】
各側枠杆１０は、図５に示すように、横断面形状がほぼ凸状をなし、ドア９の側端面と対向する内側面１６ａの前部に、戸当たり部となる内向き突部１６ｂが形成された、底面が開口する縦長中空の本体フレーム１６と、本体フレーム１６の前後面の凹入段部１６ｃ、１６ｃに取付けられた中空の外装パネル１７と、本体フレーム１６の外端部中央に設けられ、後続の間仕切りパネル２の対向する側端の中央に設けられた上下方向を向く凸条(図示略)が嵌合するようにした平面視凹状の弾性体からなる緩衝部材１８とを備えている。
なお、図５は、左方の側枠杆１０を示すものであり、右方の側枠杆１０は、緩衝部材１８の外側端が凸状をなすことを除いては、左方のものと左右対称のほぼ同一形状をなしている。
【００２９】
図３および図４に示すように、本体フレーム１６の下端部内には、周囲に弾性体からなるスカート状の下部閉塞部材１９を取り付けた浅底容器状の底板２０が、上下動可能として設けられている。
【００３０】
本体フレーム１６の内側面１６ａの下端部には、作動杆１５の先端部が嵌合しうる嵌合孔２１が設けられ、その上方に設けられた縦長孔(図示略)には、内方に向かって開口する縦長箱状のケース２２が嵌合され、その上下に設けられた上向きおよび下向きのフランジ２２ａが、内側面１６ａにねじ止めされている。
【００３１】
ケース２２の奥端面２２ｂには、上下方向を向く長孔２３が設けられ、またケース２２における奥端面２２ｂの背面側には、奥端面２２ｂを含めて、上下方向を向く角筒状をなすガイド筒２４がケース２２と一体的に形成されており、このガイド筒２４には、角軸状の連結杆２５が、上下方向に摺動自在に嵌合されている。
【００３２】
連結杆２５の下端には、上記底板２０が、固定ねじ３３をもって固着され、同じく中間部には、嵌合孔２１を開閉する平面視Ｌ形のブロック状の遮蔽部材２６が、ボルト３２をもって固着され、同じく上部には、操作部材である操作つまみ２７が、ケース２２の長孔２３を上下動可能として貫通するとともに、連結杆２５の上部に設けた水平の挿通孔２５ａを貫通するボルト２８と、その先端部に螺合するナット２９とをもって固着されている。
操作つまみ２７は、ケース２２によって側枠杆１０の内側面に形成された縦長の凹部内に上下動可能として収容され、ドア９の閉止時に、ドア９の側端面に操作つまみ２７が当接しないようにしてある。
【００３３】
連結杆２５の外側面におけるナットより下方の部位には、盲孔２５ｂが設けられており、この盲孔２５ｂ内には、圧縮コイルばね３０により常時突出側に付勢されたクリックストッパ用の鋼球３１が配設され、この鋼球３１は、ガイド筒２４の背面の上下位置に設けられた上下１対の位置決め孔２４ａ、２４ｂ(図３および図４参照)に係合することにより、連結杆２５、並びにそれと一体の遮蔽部材２６、操作つまみ２７、底板２０および下部閉塞部材１９を、上昇位置および下降位置において弾圧保持しうるようになっている。
すなわち、盲孔２５ｂ、圧縮コイルばね３０、鋼球３１、位置決め孔２４ａ、２４ｂ等により、操作つまみ２７を上昇位置および下降位置において弾圧保持する弾圧保持手段が形成されている。
【００３４】
上記構成において、遮蔽部材２６は、上昇位置に位置しているときは、図３および図７に示すように、嵌合孔２１の上方に位置し、これによって、嵌合孔２１は開口状態を保ち、ドア９の閉止毎に、作動杆１５は嵌合孔２１内に嵌合し、ドア側下部閉塞部材１４は上昇位置に保持されたままの状態を維持し、ドア側下部閉塞部材１４がドア９の開閉や、ドア付間仕切りパネル３自体の移動を妨げることはない。
【００３５】
また底板２０および下部閉塞部材１９も、上昇位置に位置しているときは、本体フレーム１６の下端とほぼ等高か、またはそれより上方に位置し、これによって、側枠杆１０の下端と床面７との間には隙間ｄが形成され、底板２０および下部閉塞部材１９が、ドア付間仕切りパネル３自体の移動を妨げることはない。
【００３６】
ドア９が開いている状態で、図８に示すように、作業者の指などにより、操作つまみ２７を押し下げて、上昇位置から下降位置へ移動すると、鋼球３１が位置決め孔２４ａから外れて、位置決め孔２４ｂに係合し、操作つまみ２７等は、下降位置に弾圧保持される。
【００３７】
このとき、遮蔽部材２６は、図４および図８に示すように、嵌合孔２１の背面に位置して、嵌合孔２１を遮蔽し、この状態でドア９を閉じると、作動杆１５は、遮蔽部材２６に当接して、相対的にドア９内に没入し、この没入動作に連繋して、ドア側下部閉塞部材１４が下降して、床面７に圧接する。
【００３８】
また底板２０も押し下げられているので、図４、図８、および図９に示すように、その周囲の下部閉塞部材１９の下縁が床面７に圧接し、やや弾性変形しつつ床面７と本体フレーム６の下部との間を密閉する。この圧接力により、連結杆２５には上向きの反力が作用するが、鋼球３１が下方の位置決め孔２４ｂに係合していることにより、外力を加えない限りは、下部閉塞部材１９は、床面７に圧接したままの状態を維持することができる。
【００３９】
したがって、操作つまみ２７を下降位置に位置しておくと、下部閉塞部材１９により、側枠杆１０の下端と床面７との間の隙間ｄが閉塞され、さらに、この状態で、ドア９を閉じると、ドア側下部閉塞部材１４が下降して、床面７に圧接し、ドア９の下端と床面７との間の隙間ｄも閉塞され、間仕切り装置１によって２分された室内のそれぞれの下方の空間を完全に仕切ることができる。
【００４０】
なお、ドア付間仕切りパネル３の上端部には、他の間仕切りパネル２におけるのと同様の従来公知の上部閉塞部材(図示略)を設け、それによって、ドア付間仕切りパネル３の上端と天井またはレール６との隙間を閉塞すればよい。
【００４１】
本発明は、上記実施形態のみに限定されるものではなく、幾多の変形した態様での実施が可能である。
例えば上記実施形態では、操作つまみ２７および連結杆２５を、上昇位置および下降位置に保持するための保持手段として、連結杆２５に、鋼球３１および圧縮コイルばね３０を設け、かつガイド筒２４に、上下１対の位置決め孔２４ａ、２４ｂを設け、それらによって、操作つまみ２７を上昇位置および下降位置において弾圧保持するようにしているが、連結杆２５に、上下１対の位置決め孔２４ａ、２４ｂを設け、かつガイド筒２４に、鋼球３１および圧縮コイルばね３０を設けてもよく、またこのような弾圧保持手段に代えて、他の機構により、操作つまみ２７および連結杆２５を、上昇位置および下降位置において安定して保持するようにしてもよい。
【００４２】
また、底板２０の下面に固定用のピンを突設しておき、床面７における予め定めた位置に、上記ピンが嵌合しうる受け孔を設けておき、底板２０を下降位置としたとき、上記ピンが受け孔に嵌合するようにしておくと、ドア９開閉操作時の床面７に対する側枠杆１０の位置ずれを、確実に阻止することができる。
【図面の簡単な説明】
【００４３】
【図１】本発明に係るドア付間仕切りパネルを備えた移動間仕切り装置の全体的構成を示す斜視図である。
【図２】同じくドア付間仕切りパネルの正面図である。
【図３】操作つまみを上昇位置としたときの、図２のＡ部を拡大して示す縦断正面図である。
【図４】操作つまみを下降位置としたときの図３と同様の部分の縦断正面図である。
【図５】ドアを開いたときの側枠杆とドアと下部を横断して示す要部拡大斜視図である。
【図６】ケースと、連結杆等との結合関係を示す分解斜視図である。
【図７】ケースに対して連結杆等を上昇位置としたときの、それらの組立状態の斜視図である。
【図８】ケースに対して連結杆等を下降位置としたときの、それらの組立状態の斜視図である。
【図９】図４のＢ矢視図である。
【符号の説明】
【００４４】
１  移動間仕切り装置
２  間仕切りパネル
３  ドア付間仕切りパネル
４  天井
５  吊りボルト
６  ガイドレール
６ａ格納用レール
７  床面
８  ドア枠
８ａ開口
９  ドア
１０  側枠杆
１１  ヒンジ
１２  ノブ
１３  施錠装置
１４  ドア側下部閉塞部材
１５  作動杆
１６  本体フレーム
１６ａ内側面
１６ｂ内向き突部
１６ｃ凹入段部
１７  外装フレーム
１８  緩衝部材
１９  下部閉塞部材
２０  底板
２１  嵌合孔
２２  ケース
２２ａフランジ
２２ｂ奥端面
２３  長孔
２４  ガイド筒
２４ａ上部位置決め孔
２４ｂ下部位置決め孔
２５  連結杆
２５ａ挿通孔
２５ｂ盲孔
２６  遮蔽部材
２７  操作つまみ(操作部材)
２８  ボルト
２９  ナット
３０  圧縮コイルばね
３１  鋼球
３２  ボルト
３３  固定ねじ
ｄ  隙間
【図１】
0005154257.tif 000002
【図２】
0005154257.tif 000003
【図３】
0005154257.tif 000004
【図４】
0005154257.tif 000005
【図５】
0005154257.tif 000006
【図６】
0005154257.tif 000007
【図７】
0005154257.tif 000008
【図８】
0005154257.tif 000009
【図９】
0005154257.tif 000010